(57)【要約】【目的】自己身体でありながら視界外または手の届かない背面部域等に、経皮吸収型鎮痛消炎剤や各種湿布薬・磁気治療材等を、一人で確実に無駄なく貼付し得る装置と方法を提示する。【構成】弾力性を有する扁平状クッション部の片面に湿布を展開し支持しうる上部面を形成し、上面部に展開した湿布がクッション部の移動時や傾斜時に滑落や位置ずれしないよう凹部や凸部を設けることによって湿布を支持し、展開湿布面を上面に保持したクッション上面部を移動するか、または身体をクッション上面に着圧することによって、展開した薬用湿布面をそのまま身体患部に貼付し得る構成の装置と方法である。【選択図】        図２
2004237045.tif 000002
【特許請求の範囲】
【請求項１】
可撓性・柔軟性・弾力性を有する高分子や発泡材・繊維素材によって、上下２面を有するブロック状基板とし、その上面部に薬用湿布を展開しても滑落しないよう支持すべくに凹部あるいは凸部を形成し、上下基板間に傾斜／面を構成することとし、基板の底面や把持部を持って上面の薬用湿布面を移動し、垂直壁面に位置付けしても湿布・貼付剤の滑落が防止され、手の届かない体位背面のいずれの箇所でも一人であらゆる湿布薬・貼付剤を確実に、クッション作用によって圧着貼付しうることを特徴とした薬用湿布の貼付装置。
【請求項２】
高分子素材や繊維素材による湿布貼付用基板を、別の高分子フィルム、発泡材または繊維布等で包囲して成る前記特許請求項１記載の薬用湿布の貼付装置。
【請求項３】
基板面を上下に分割しうる構造とし、その上下面間に風船（空気袋）を利用した空気クッション部を設けたことを特徴とする前記特許請求項１記載の湿布貼付装置。
【発明の詳細な説明】
【０００１】
【発明の属する技術分野】
本発明は身体部分の見えない背面や手指の届き難い箇所に対し、経皮消炎・鎮痛用薬剤湿布の貼付を、一人で行なうに適した貼付方法とその装置に関する。
【０００２】
【従来の技術】
一般に経皮薬用湿布は柔軟で密着性・自己粘着性を有することから、患部への貼付作業は注意して行なう必要がある。特に背面部等に貼付する場合、一人でこの作業を行なうことは、見えない場所、手が届かないこととが畳重し困難であり、貼付に失敗が多く、独り暮らしの老人等には解決し難く不便性極まる問題であった。
【０００３】
【発明が解決しようとする課題】
本発明はこの不便性を解決する手段として、背面等の患部に薬用湿布を貼付ける作業に関し、これを他人の手を借りることなく一人で意のままに背面等、直接手指の届かない場所でも的確に薬用湿布の貼付目的を達しうる方法とその装置の提示を行なうものである。
【０００４】
【課題を解決するための手段】
本発明は可撓性・柔軟性を有する樹脂系・繊維系または高分子系の発泡材等で基板状のブロックを形成し、基板の一面を湿布支持面とし、ブロックまたは更に柔軟な素材で上面の一部に凸状部・凹状部を作ることで、支持面の湿布を支持するか、あるいは凸部によって支持面上の湿布端を支持しうる構造である。したがってこの湿布支持面内に身体に貼付すべき薬湿布を予め展開配置すれば、如何に柔軟で取り扱い困難な湿布でも平面状を維持したまま、直接指に触れることなくブロック端部を持って移動し患部にあてがうことにより、自在な貼付が可能となる。また支持面内に薬湿布を拡げた状態でブロックを床面や壁面に假設し、その上に背面の患部等必要貼付部を押し付ける動作を行なえば、適度なブロック弾性クッション性により無理なく確実に単独での手の届かない背面部に対し湿布貼付作業を行なうことができる。
【０００５】
【実施例】
本発明の実施例を図について説明すると次のごとくである。図１に示すごとく基板ブロック（１）の上部（２）にはクッション用ブロック発泡体またはより柔軟な素材で凸状に最大湿布寸法を支持しうる受部（３）を有する上面部（４）が形成されている。発泡ブロックを支持する基板はブロックの把持移動を容易とすべく把持部（５）を設けている。また上部は底部面（６）に対し、傾斜（７）の角度（θ）を有し、基板を壁面（８）に図２のごとく垂直状に假設した場合、枠内の薬湿布（９）が滑落することを、上面部と湿布裏面相互の摩擦抵抗によって防止している。薬湿布の貼付方法は図２のごとく基板を壁面に両面テープ等で假設する他、床面に設置し、その上に臥状に身を乗せることや、基板の把手部を持って基板を身体に押し付ける等、自由な姿勢で確実に湿布の貼り付け作業ができる。
本発明の別の実施例は図３に示すごとく、基板ブロックの上（Ａ）・下面（Ｂ）部を分離し、その間に空気クッション部（Ｃ）を設ける構造、あるいは図４のごとく下部基板面（Ｂ）の上部域に空気の充填によって湿布支持面と空気クッション側面部（Ｃ）とを同時に形成するよう一体フィルム形成を行なう等、自在に加工性が選択される。この場合空気の送り込みには弁機構付き軟質チューブ（Ｄ）が排気にも便利である。排気によって基板厚さが減じ、収納運搬が有利となる。更に空気クッション（エアクッション）方法は、装置全体を上下に扁平な２面を有する風船状としても一体的にも作ることができる。また上面部の曲線を変化させ表面形状を変える等、いずれの方法でも本発明が目的とする自分では見えない・手の届かない・届き難い背面等の患部に対し、的確に薬用湿布類の貼付の主な目的・作用・効果を得ることができる。
【０００６】
【作  用】
従来より身体背面部の見えない場所や手指の届かない場所に薬湿布剤の貼付を行なうこと、または湿布の交換を行なう行為は本人一人では不可能とされている。その理由は湿布薬自体が軟体で掴み処がなく、薬面相互が付着し易く、また一旦薬面同志が密着するとなかなか剥し難く、特にコシのないこの種軟体特性の湿布薬を身体特に手の届かないまたは見えない身体部位に貼付する場合は、自力で行なうことは困難・至難な技である。困難を極めながらも漸く貼付できても薬面全面が皮膚面に完全に、しかも折れ込み等なく正状態で患部に確実に貼りつけることは困難かつ不可能である。よって意図した場所に確実に貼り付けようとする場合は第三者に頼らざるを得ないのが現実である。このことは特に独居者や老人・身体機能支障者等においては深刻かつ大きな問題である。しかし本装置と方法を用いれば、このような取り扱い至難で貼付失敗の多かった軟体湿布剤の貼付が自分一人で自由自在にシワや折り込み・弛み・歪み等生ぜずして確実に目的の患部へ貼付することが可能となった。基板本体は発泡ウレタン等の素材で軽量・弾力特性を有し、基板表面（上面）で湿布薬を保持するための凹凸状支持部は、本体部の加工で形成するか、更にソフトな別の発泡ウレタンで多重構造とするか、またはフィルムで包囲形成するか等も自在である。したがって基板枠内に配備された薬用湿布を支持面で平面状に維持したまま、患部に近付けそのまま押し付けることによれば、同質弾性素材においても受圧面積の少ない凸支持部が湿布面より先に圧縮され、次に湿布面が基板クッション弾力によって身体患部に圧着される仕組みである。
本発明はゴム等の樹脂や高分子系材料の発泡形成技術または繊維素材によって任意な弾力・反撥力を有する基板を作り、基板の一面に経皮吸収型鎮痛消炎剤等の薬用湿布を展開し、これを基板の移動動作によっても基板より滑落しないよう、湿布保持面部によって支持し、湿布の滑りを防止している。また突状のストッパ部を基板上面に形成しても展開湿布のズレを防ぐことができる。このストッパ部は基板と同時形成するか、または別の突起部付きフィルムを基板面に位置付けするか、またフィルム面の湿布支持部のみを加工・表面処理等で滑り難くするか、または基板の湿布展開を凹状部内に更に小突起部を設けることも自在であり、凹状部より小版湿布の位置付けもできる。
【０００７】
【発明の効果】
本装置と方法によれば、いづれも貼付を目的とするあらゆる湿布薬・貼付剤の貼付に適用できることは云うまでもない。特に本装置・方法の有効使途目的は独力で貼付の困難な柔軟湿布薬の確実な展開貼付作業を容易に行なうえ得ることであり、これら作業をより行ない易くするために必要な軽量性・弾力性・クッション性を特徴とし、視界外／手の届かない背面等患部に対しての密着条件を本人が単独で達し得る効果を有する。即ち本装置によれば自己身体の不自由な単独の老人でも、在宅時の湿布交換は自力で自在適時に行なえるので、薬剤効果大・症状回復へと繋がる。また湿布薬交換のための毎通院は必要なく、本人の医療費負担の軽減は当然のことながら、国家負担費用額も大きく軽減される。超高齢社会において益々この種湿布薬の要支給・消耗枚数は激増する。貼れない患部に無理して貼ろうとする行為は貼り損ないを生じさせ、使用前に廃棄せざるを得ない経験は高齢者のみならず、誰もが体験している現実である。このような身近な負の問題に対し、今日具体的な対処解決方法が採られていない。本発明は安全且つ意図も簡単に、独力で、無理を強いることなく、最大に薬湿布貼付治療効果を発揮するに絶対に欠かせない比類なき必需装置・方法である。
また本製品の別の活用方法として車輛座席や椅子の背面腰部に本装置を假設もしくは接入することで、長時間の運転疲労や腰痛者の苦痛緩和用として役立てることも可能である。
【図面の簡単な説明】
【図１】本発明の構成を示す斜視図。
【図２】本発明の構成を示す断面図。
【図３】本発明の他の構成を示す断面図。
【図４】他の構造を示す断面図。
【符号の説明】
１…基板ブロック部
２…ブロック上部
３…支持受部
４…上面部
５…把手部
６…ブロック底部面
７…傾斜角度
８…壁面
９…薬用湿布
Ａ…上基板
Ｂ…下基板
Ｃ…空気クッション
Ｄ…弁付軟質チューブ」
【図１】
2004237045.tif 000003
【図２】
2004237045.tif 000004
【図３】
2004237045.tif 000005
【図４】
2004237045.tif 000006